(57)【特許請求の範囲】
【請求項１】
水を加熱してスチームを生成するスチーム生成部と、
このスチーム生成部で生成したスチームを筐体内の洗浄対象に指向して吐出するスチーム吐出体と、
前記洗浄対象に対向して設けられ前記スチーム吐出体から吐出された前記スチームが吸引される吸引体と、
前記吸引体からの前記スチームを吸引する吸引機と、を備え、
前記スチーム生成部、前記スチーム吐出体及び前記吸引体は、室内に配置された室内機の内部に配設され、前記吸引機は、室外に配置された室外機の内部に配設され、
前記吸引機は、一端部が前記吸引体に接続された吸引管の他端部に接続された気水分離槽の前記スチームの下流側に配設され、
前記吸引管は、冷房運転時に前記室内機内で発生した凝縮水を前記室内機の外に導く排水管を兼用し、
前記気水分離槽に溜まった水は、前記吸引機の駆動により前記スチームを吸引しているときは閉じ前記吸引機の非駆動時には開く排水弁を介して前記室外機の外へ排出される空調機。
【請求項２】
水を加熱してスチームを生成するスチーム生成部と、
このスチーム生成部で生成したスチームを筐体内の洗浄対象に指向して吐出するスチーム吐出体と、
前記洗浄対象に指向して空気を吐出する空気吐出体と、
前記洗浄対象に対向して設けられ前記スチーム吐出体から吐出された前記スチームが吸引される吸引体と、
前記吸引体からの前記スチームを吸引する吸引機と、
この吸引機の前記スチームの上流側に配設された気水分離槽と、
を備え、
前記スチーム生成部、前記スチーム吐出体、前記空気吐出体、前記吸引機及び前記気水分離槽は、室内に配置された室内機の内部に配設され、
前記気水分離槽には、前記吸引機の駆動により前記スチームを吸引しているスチーム洗浄のときは閉じ、前記スチーム洗浄以外の冷暖房運転時は開く排水弁が取付けられた排水管が接続されており、
前記気水分離槽で気体層から分離された液体層の水は、前記排水管を通じて前記室内機の外に排出される空調機。
【請求項３】
前記スチーム吐出体及び前記空気吐出体は、一体に設けられている請求項２に記載の空調機。
【請求項４】
前記スチーム吐出体は、ヒーターを具備して前記スチーム生成部を兼用している請求項１〜３の何れか１項に記載の空調機。
【請求項５】
前記吸引機は、前記スチーム吐出体から前記スチームが吐出する際に駆動停止可能とし、スチーム吐出体からのスチームは前記室内に放出されるようになっている請求項１〜４の何れか１項に記載の空調機。
【請求項６】
前記スチーム生成部は、給水管を介して水タンクと接続され、またこの水タンクは、空気管を介して空気ポンプに接続され、
前記空気ポンプの駆動により、空気が前記空気管を通じて前記水タンクに送られ、前記水タンク内では、前記空気の圧力及び体積が増加し、前記水タンク内の水は、前記スチーム生成部に前記給水管を通じて供給される請求項１〜５の何れか１項に記載の空調機。
【発明の詳細な説明】
【技術分野】
【０００１】
この発明は、筐体内を筐体外の空気が通過するとともに、筐体内の洗浄対象を洗浄する空調機に関する。
【背景技術】
【０００２】
筐体内に筐体外から空気を通過させて各種の機能（例えば空気の清浄化、昇温、降温、換気等）をなす空調機として、空気清浄機、エアコンの室内外機、冷蔵庫（庫内冷風循環）、オイルヒーター、温水ヒーター、換気扇（熱交換型、給排気型を含む）、温風ヒーター等が一般的に知られている。
このような空調機では、いずれも筐体外から空気とともに持ち込まれた空気中に含まれる汚れ成分等は、一部筐体内の各部（特に広大な表面積を有する熱交換器は顕著）に付着するため、清掃が困難で、経年使用で汚れ成分が堆積し、さらにはその汚れ成分が基となって菌類、微生物等が増殖したりする。
【０００３】
例えば、もっとも代表的な空調機である家庭用、業務用及び車両用等のエアコンにおける室内外機内には、冷媒と空気との熱交換器としてプレートフィンチューブ熱交換器が一般的に組み込まれている。
このプレートフィンチューブ熱交換器は、冷媒配管内での冷媒と冷媒配管との熱伝達、冷媒配管、フィン及びそれらの間の熱伝導、フィン間の間隙をフィン面に沿って流れる空気とフィンとの熱伝達等の熱移動により、冷媒と空気との間で熱交換するものある。このプレートフィンチューブ熱交換器では、フィンを多層に積層して空気との接触面積を簡単に増大させることができ、効率よくコンパクトに熱交換できる利点がある。
【０００４】
しかしながら、このプレートフィンチューブ熱交換器では、広大なフィンの面積を有するので、特に汚れの付着の点で下記の幾つかの問題点がある。
イ．例えば、空気によって運ばれる埃、油分、花粉、菌類及び微生物等が広大なフィン面に付着し易く、熱交換器として利用され冷媒の温度が低い場合（例えば冷房運転時の室内機側）、フィン面に空気中の水分が凝縮して付着し、形成された水膜によってさらに埃、油分、花粉、菌類及び微生物等が付着し易くなる。これらの付着物を除去しようとしてもフィン間の間隙が極端に狭く、あるいは手が届きにくいため、フィン面を直接的に清掃することは困難であり、経年使用に伴い付着物が増大する。
ロ．下流への液飛び等の防止のために、フィン表面に親水性や疎水性の機能を得るべく有機系の材料による表面コーティング材が施されている場合には、このコーティング材がフィン面に付着した菌類、微生物の栄養素となり、菌類、微生物が増殖する。その結果、フィン面に付着した様々な付着物と相俟って、フィン面と空気との間の熱伝達効率が低下する。
ハ．付着した埃、油分、花粉、及び増殖した菌類、微生物の一部が空気の流れでフィン面から脱離してエアコンの室内機等の筐体外へまき散らされて室内が非衛生となり、また付着し、増殖した菌類、微生物が吐き出す臭気成分、付着した埃、油分、花粉からの臭気成分が空気の流れで筐体外へ排出されて室内全体が臭くなる。
【０００５】
これらの問題点は、筐体内で空気が通過する部位毎に原因や、掃除の困難さの等で多少の差異があるものの、フィン面に限らず、筐体内の空気が通過する他の部位でもほぼ共通する問題点である。
このため、従来からエアコンの室内機を主な対象として、下記に示す様々な解決策が提案されている。
従来技術１．
通常最も簡単で一般的な従来技術は、エアコンの室内機内へ流入する空気をプレフィルタで濾過する方法で、現状エアコンの室内機ではほぼ１００％この方策が採られている。このようにすることで、空気に含まれる埃等の多くを除去してフィン面等に付着する量を減らすことができる利点がある。
また、プレフィルタに付着した埃等を自動的に吸引除去したりブラシ等を使って擦ってはぎ取る方策を常設したりして、プレフィルタのメンテナンスを軽減できるものもある。
【０００６】
従来技術２．
また、より積極的にエアコン内のプレートフィンチューブ熱交換器を洗浄する方法として、スチームを使った方法が知られている（例えば、特許文献１）。
この特許文献１に記載された家庭用エアコンの室内機の洗浄装置は、スチーム吐出口と吸引口とを併設配置した部位をプレートフィンチューブ熱交換器の外部から被洗浄部位に当接しながら洗浄するもので、熱交換器を取り外すことなく洗浄できるという利点がある。
【０００７】
従来技術３．
また、水等の洗浄液または空気を使って熱交換器を洗浄する方法も知られている（例えば、特許文献２）。
この特許文献２に記載された装置は、洗浄液や空気を吐出する吐出口と吸引する吸引口とを熱交換器を挟んで対向するように当接して配置し、吐出口と吸引口を同時に熱交換器の長さ方向へ移動させて洗浄するもので、洗浄液や汚れの飛散を防止しつつ洗浄でき、能率良く洗浄作業ができ、下部等に漏水養生等することなく洗浄できる利点がある。
【０００８】
従来技術４．
また、発泡する洗浄剤を使って熱交換器を洗浄する方法も知られている（例えば、特許文献３）。
この特許文献３に記載された装置は、発泡させた洗浄剤を熱交換器に当接した吐出口から熱交換器に吐出し、その後吸引口を熱交換器に当接して吸引して、熱交換器内を除泡あるいは乾燥することで、熱交換器内部を洗浄するもので、洗浄作業が簡単且つ手軽に実施可能であるという利点がある。
【先行技術文献】
【特許文献】
【０００９】
【特許文献１】特許３３１５９７３号公報
【特許文献２】特開平４−３０６４９６号公報
【特許文献３】特開平９−６１０９２号公報
【発明の概要】
【発明が解決しようとする課題】
【００１０】
しかしながら、前記従来技術１のものは、プレフィルタで空気の汚れの一部を濾過しているだけであり、特により微細な汚れ等はプレフィルタを通過し、フィン積層体におけるフィン面等空気が通過する各部位への汚れ等の付着防止の抜本的対策にはなってなく、フィン面等への汚れの堆積を抑制するだけで、積極的な防止、清掃とはならず、清潔性を持続することは困難であるという問題点があった。
また、プレフィルタの自動清掃をするものについても、フィン面等の汚れ防止ということでは何の対策にもなっていない。
また、プレフィルタの濾過能力をより上げるため、編み目をより細かくすることも対策として考えられるが、空気の通過時の圧力損失が増大し、また汚れ防止の点では編み目より細かい汚れは通過してしまい、やはり抜本的な対策ではなかった。
【００１１】
また、前記従来技術２〜４のものは、いずれもプレートフィンチューブ熱交換器のフィン面を積極的に洗浄するものではあるが、下記のような幾つかの問題点がある。
イ．基本的に汚れが溜まってから洗浄することを前提としており、常時容易に洗浄できるものではない。そのため、期間を開けた洗浄とならざるを得ず、期間が経ってこびり付いた汚れは落ち難く、洗浄効果が期待できないか、より強い洗浄能力やより長い洗浄時間を要する。
ロ．結局人手に頼った洗浄であるので、プレートフィンチューブ熱交換器を均一に洗浄できる確実性は低く、洗浄したい場所を確実に洗浄できるとは限らず、安定した洗浄効果を得ることは困難である。
ハ．上記従来技術３のものでは、熱交換器をエアコンから取り外して実施することとしており手間がかかる他、洗浄液を液体のまま使うので大量に要し、その分漏液の可能性が高くなる。
【００１２】
この発明は、上記のような問題点を解決することを課題とするものであって、少量の水を使って漏水量が少なく、筐体内の洗浄対象に対してより積極的に、より確実に、より容易に、より均一な安定した洗浄を行えるようにし、清潔性の持続や機能（空気の清浄化、昇温、減温、換気、熱交換等）を容易に維持できる空調機を得ることを目的とする。
【課題を解決するための手段】
【００１３】
この発明に係る空調機は、水を加熱してスチームを生成するスチーム生成部と、
このスチーム生成部で生成したスチームを筐体内の洗浄対象に指向して吐出するスチーム吐出体と、
前記洗浄対象に対向して設けられ前記スチーム吐出体から吐出された前記スチームが吸引される吸引体と、
前記吸引体からの前記スチームを吸引する吸引機と、を備え、
前記スチーム生成部、前記スチーム吐出体及び前記吸引体は、室内に配置された室内機の内部に配設され、前記吸引機は、室外に配置された室外機の内部に配設され、
前記吸引機は、一端部が前記吸引体に接続された吸引管の他端部に接続された気水分離槽の前記スチームの下流側に配設され、
前記吸引管は、冷房運転時に前記室内機内で発生した凝縮水を前記室内機の外に導く排水管を兼用し、
前記気水分離槽に溜まった水は、前記吸引機の駆動により前記スチームを吸引しているときは閉じ前記吸引機の非駆動時には開く排水弁を介して前記室外機の外へ排出される。
【発明の効果】
【００１４】
この発明の空調機によれば、スチーム生成部で生成したスチームを用いて筐体内の洗浄対象を洗浄するので、少ない水量で、筐体外への漏水量が少なく、労力少なく、確実性高く、頻繁に、洗浄対象を洗浄でき、筐体内の清潔性（防汚、防臭、防かび）の持続が容易となり、筐体内を通過する空気への臭気移りや汚れ移りを抑制できる。
【図面の簡単な説明】
【００１５】
【図１】この発明の実施の形態１によるエアコンの室内機の側断面図である。
【図２】図１のエアコンの室外機の側断面図である。
【図３】図１の室内機の正断面図である。
【図４】図１の室内機の部分平断面図である。
【図５】この発明の実施の形態２によるエアコンの室内機を示す要部断面図である。
【図６】この発明の実施の形態３によるエアコンの室内機を示す要部断面図である。
【図７】この発明の実施の形態４によるエアコンの室内機を示す要部断面図である。
【図８】この発明の実施の形態５によるエアコンの室内機を示す要部拡大断面図である。
【図９】この発明の実施の形態６によるエアコンのラインフローファンを示す要部側断面図である。
【図１０】図９のラインフローファンのＡ−Ａ線矢視断面図である。
【図１１】この発明の実施の形態７によるエアコンの室内機を示す平断面図である。
【図１２】図１１のＢ−Ｂ線に沿った矢視断面図である。
【図１３】この発明の実施の形態８によるエアコンのスチーム吐出体を示す要部断面図である。
【図１４】図１３のスチーム吐出体を示す要部平面図である。
【発明を実施するための形態】
【００１６】
以下、この発明の各実施の形態について図に基づいて説明するが、各図において、同一または相当部材、部位については同一符号を付して説明する。
実施の形態１．
図１はこの発明の実施の形態１による空調機であるエアコン１の室内機５の側断面図、図２は図１のエアコン１の室外機６の側断面図、図３は図１の室内機５の正断面図、図４は図１の室内機５の要部断面図である。
このエアコン１では、建物の側壁２の室内３側に配置された室内機５と室外４側に配置された室外機６とが側壁２で隔てられている。室内機５と室外機６との間は、内部を流体である熱媒体が流通する往復２本の銅製（他の材質でもよい）の熱媒体管７と１本の排水管１９とで接続されている。側壁２には、熱媒体管７及び排水管１９が貫通する側壁開口部２ａが形成されている。
【００１７】
室内機５の筐体５ａ内には室内フィン熱交８が収容され、室外機６の筐体６ａ内には室外フィン熱交９が収容されている。
室内フィン熱交８は、プレートフィンチューブ熱交換器であり、複数枚の薄い平板状の室内フィン８ａが所定間隔で積層配置されたフィン積層体と、両端部が熱媒体管７に接続され、途中複数回折曲して室内フィン８ａの面の垂直方向すなわち積層方向から貫通した室内熱交換媒体管８ｂとを備えている。例えば銅製の室内熱交換媒体管８ｂは、多層の室内フィン８ａを貫通し、かつ例えば拡管(内圧をかけて管を拡大する)により室内フィン８ａに密着している。なお、室内フィン８ａは、厚み０．１ｍｍ程度のアルミニウム製で、ピッチは１ｍｍ程度が一般的である。
室外フィン熱交９は、室内フィン熱交８と同様の構成であり、複数枚の薄い平板状の室外フィン９ａが所定間隔で積層配置されたフィン積層体と、両端部が熱媒体管７に接続され、途中複数回折曲して室外フィン９ａの面の垂直方向すなわち積層方向から貫通した室外熱交換媒体管９ｂとを備えている。例えば銅製の室外熱交換媒体管９ｂは、多層の室外フィン９ａを貫通し、かつ例えば拡管により室外フィン９ａに密着している。なお、室外フィン９ａも、室内フィン８ａと同様に、厚み０．１ｍｍ程度のアルミニウム製で、ピッチは１ｍｍ程度が一般的である。
【００１８】
室内機５の前面には、上部、下部、及び側部に通気可能な給気開口部１２が形成された前面パネル１１が設けられている。この給気開口部１２を通じて、室内機５内に室内３の空気が流入し、また室内機５内の空気が室内３に排出される。
室内フィン熱交８への空気の流入側である、上面及び前面には、プレフィルタ１３が着脱可能に覆われている。プレフィルタ１３は、いわゆる網であり、全面にわたって通気性があり、大きな汚れの室内フィン熱交８内への進入を防止するためのものであり、取り外して清掃できるようになっている。プレフィルタ１３は一般的に樹脂製が多いが金属製であってもよい。
【００１９】
筐体５ａの背面側の下部、即ち室内フィン熱交８を通過する空気の下流側には、円筒状の送風機であるラインフローファン１４が設けられている。ラインフローファン１４は、円筒面に対して所定の角度を有した翼である複数枚の送風翼１４ａが周方向に沿って所定間隔で多数枚配置されている。ラインフローファン１４の軸の一端（図３において右側）には、ファンモーター１４ｂが取り付けられている。このファンモーター１４ｂの駆動により、送風翼１４ａは回転し、前面パネル１１の給気開口部１２を通じて筐体５ａ内に吸引された室内３の空気は、室内フィン熱交８を通過した後、送出風路１８を通って送出口５３から室内３に戻る。
送出口５３にはモーター（図示せず）の駆動により角度が変更される風向フラップ１５が設けられており、この風向フラップ１５の角度を変更することで、空気は所望の角度で室内３内に送出される。
【００２０】
室内フィン熱交８からラインフローファン１４までの風路の背面側の背面風路壁１７の下部には、排水部である溝形状の排水パン１６が形成されている。この排水パン１６は、筐体５ａの奥壁、左右の側壁及び室内フィン熱交８の下側を通って囲っており、背面風路壁１７の表面で凝縮し滴下した凝縮水、及び室内フィン熱交８の内部で凝縮し滴下した凝縮水を受け止める。排水パン１６の最下部には途上に排水パン排水弁１６ｂが取り付けられた排水パン排水管１６ａが接続されている。排水パン排水管１６ａは凝縮水を室内機５の外へと導く排水管１９に接続されている。排水管１９は、熱媒体管７と同様な経路で側壁開口部２ａを通って室外機６に接続されている。
【００２１】
室内機５の筐体５ａ内には、室内フィン熱交８の空気の下流側に、室内フィン８ａの積層方向から見て逆Ｌ字形をした中空のスチーム吐出体２０が設けられている。この水平方向に移動可能なスチーム吐出体２０には、室内フィン熱交８及び排水パン１６に向けてスチームが吐出する多数のスチーム吐出口２０ａが一定の間隔をあけて形成されている。スチーム吐出口２０ａと室内フィン熱交８の端面とは一定の距離（例えば１０ｍｍ）離間している。
【００２２】
スチーム吐出体２０と室内フィン熱交８とを一定の距離離間させることで、スチーム吐出口２０ａから吐出する前のスチームの温度が例えば１２０℃であっても、室内フィン熱交８にあたる際には途上の空気と混合して１００℃未満に温度降下する。
また、スチーム吐出口２０ａから吐出するスチームは、空気中を拡散するので、室内フィン熱交８に衝突する際には拡がって衝突し易くなる。即ち、洗浄斑が少なくなり、また１つのスチーム吐出口２０ａがカバーできる室内フィン熱交８の面積が増え、スチーム吐出体２０にスチーム吐出口２０ａを設けるピッチを大きくすることができ、スチーム吐出体２０の製造が容易となる。
【００２３】
室内機５の筐体５ａ内の片側下部には、ニクロム線等のヒーター（図示せず）により水を加熱してスチームを生成するスチーム生成部２１が設けられている。このスチーム生成部２１は、逆止弁２６が取り付けられた給水管２３を介して水タンク２２と接続されている。この逆止弁２６は、スチームがスチーム生成部２１で生成中には内圧や重力で給水管２３を閉じて、スチームが水タンク２２へ逆流するのを防いでいる。筐体５ａ内のスチーム生成部２１の近傍には、空気ポンプ２４が設けられている。
この空気ポンプ２４は、空気管２５を介して水タンク２２と接続されている。空気ポンプ２４の駆動により、空気が空気管２５を通じて水タンク２２に送られ、水タンク２２内では、この空気の圧力及び体積が増加し、水タンク２２内の水がスチーム生成部２１に給水管２３を通じて移動する。
【００２４】
水タンク２２には、螺着された蓋（図示せず）が設けられている。水タンク２２内への水の補給は、この蓋を開けて、別の容器から水タンク２２内に給水すればよい。この場合、給水管２３及び空気管２５が予め蓋に取り付けられているので、蓋の取り外しと同時に給水管２３及び空気管２５が水タンク２２から切り離され、水タンク２２内への水の補給作業性は向上する。
【００２５】
スチーム生成部２１には、可撓性の第１のスチーム管２１ａの一端部が接続されている。第１のスチーム管２１ａの他端部は、スチーム管ロール３４が接続されている。このスチーム管ロール３４には、一端部がスチーム吐出体２０と接続された可撓性の第２のスチーム管２１ｂの他端部が接続されている。
スチーム管ロール３４は有底円筒形状であり、この周側面には、第２のスチーム管２１ｂの一端部が貫通している。スチーム管ロール３４の内部には、弾性バネ（図示せず）が組み込まれており、この弾性バネの弾性力により、第２のスチーム管２１ｂは、スチーム管ロール３４に巻き取られるように付勢されている。第２のスチーム管２１ｂの全長は、スチーム吐出体２０の水平方向への走査に伴い、スチーム管ロール３４とスチーム吐出体２０との間で生じる距離の変化に追随できる長さである。
また、スチーム管ロール３４の回転軸の端部には、第１のスチーム管２１ａの先端部が接続されている。この第１のスチーム管２１ａの全長は、スチーム管ロール３４が回転することによる捻れを吸収できる余裕のある長さである。
なお、第１のスチーム管２１ａの全長も、第２のスチーム管２１ｂと同様にスチーム管ロール３４に巻き取られるように余裕のある長さにしてもよい。また、第１のスチーム管２１ａの他端部を、スチーム管ロール３４の回転軸の端部にスチームが洩れない程度に回転自在に接続するようにしてもよい。
【００２６】
スチーム吐出体２０の反室内フィン熱交８側には、断面コの字状の誘導体２０ｄが設けられている。誘導体２０ｄは、主に、滴下し、または跳ね返された凝縮水を背面風路壁１７の下部、または室内フィン熱交８の下側に設けた排水パン１６に誘導する。この誘導体２０ｄは、図４に示すように、対向した側壁面のそれぞれの先端部が室内フィン熱交８の室内フィン８ａの端面近傍まで延びており、室内フィン熱交８に衝突して跳ね返されるスチームや凝縮水が周囲へ飛散することを抑制している。
【００２７】
室内フィン熱交８の空気の上流側では、室内フィン熱交８を挟んでスチーム吐出体２０に対向して、室内フィン８ａの積層方向から見て逆Ｌ字形の中空の吸引体２７が設けられている。吸引体２７の途上には、スチームと空気、及び固形汚れや凝縮水を吸引するように室内フィン熱交８に向けて開口された多数の吸引口２７ａが形成されている。
なお、この実施の形態では吸引口２７ａは個別の開口穴であるが、吸引体２７の長手方向に沿ったスリット状の開口部でもよい。
【００２８】
スチーム吐出体２０及び吸引体２７は何れも、図３に示すように、室内フィン熱交８の正面から視て一部分のみにスチームを吐出しあるいは吸引するように構成されている。
スチーム吐出体２０及び吸引体２７は、室内フィン熱交８を挟んで走査機構により水平方向に走査し、室内フィン熱交８に沿った全面にスチームを吐出しあるいは吸引できるようになっている。
スチーム吐出体２０の走査機構は、室内フィン熱交８を通過する空気の下流側で水平に延びて設けられた丸棒状の第１の駆動レール２８と、この第１の駆動レール２８が螺合して貫通しているとともにスチーム吐出体２０と一体の第１の支持体２０ｂとを備えている。
【００２９】
第１の駆動レール２８は、筐体５ａに固定された第１の駆動レール支持部２８ｂによって、両端部（端部にはネジ構造は無い）が回転可能に支持されている。なお、第１の駆動レール２８の両端部と第１の駆動レール支持部２８ｂとの間にはベアリング等を内蔵して第１の駆動レール２８の回転をより円滑にするようにしてもよい。
背面風路壁１７には、第１の駆動レール２８と並行に延びた溝状の第１の案内レール２９が形成されている。この第１の案内レール２９には、スチーム吐出体２０と一体の突起体２０ｃが遊挿されている。
なお、背面風路壁１７にスチーム吐出体２０側に突出した突起状の第１の案内レールを形成し、この案内レールをスチーム吐出体２０に形成した溝に遊挿するようにしてもよい。また、背面風路壁１７にスチーム吐出体２０側に並行に突出した一対の突起を形成し、この突起間の溝にスチーム吐出体２０と一体の突起体を遊挿させてもよい。
【００３０】
第１の駆動レール２８と第１の支持体２０ｂとは螺合しており、第１の駆動レール２８を回転させることで、スチーム吐出体２０が水平方向へ移動可能であり、また第１の駆動レール２８の回転方向を変えることでスチーム吐出体２０の水平方向の移動方向の変更が可能である。
スチーム吐出体２０の水平移動の際には、突起体２０ｃが第１の案内レール２９に沿って摺動し、突起体２０ｃが第１の案内レール２９に係合しており、第１の駆動レール２８の回転方向へスチーム吐出体２０が同期して回転することはない。
従って、断面逆Ｌ字形状のスチーム吐出体２０が室内フィン熱交８の室内フィン８ａの端面に接触して、薄くて強度の低い室内フィン８ａを変形する事態が防止され、またスチーム吐出口２０ａと室内フィン熱交８の室内フィン８ａの端面との離間距離を所定の範囲内に確保される。
【００３１】
スチーム吐出体２０の走査機構と同様に、吸引体２７の走査機構は、室内フィン熱交８を通過する空気の上流側で水平に延びて設けられた丸棒状の第２の駆動レール３０と、この第２の駆動レール３０が螺合して貫通しているとともに吸引体２７と一体の第２の支持体２７ｂとを備えている。
第２の駆動レール３０の一端部は、筐体５ａに固定された第２の駆動レール支持部３０ｂに回転可能に支持されている。第２の駆動レール３０の他端部は、走査駆動モーター２８ａに接続されている。
なお、第２の駆動レール３０の一端部と第２の駆動レール支持部３０ｂとの間にはベアリング等を内蔵して第２の駆動レール３０の回転をより円滑にしてもよい。
【００３２】
第２の駆動レール３０と第２の支持体２７ｂとは螺合しており、第２の駆動レール３０を回転させることで、吸引体２７が水平方向へ移動可能であり、また第２の駆動レール３０の回転方向を変えることで吸引体２７の水平方向の移動方向の変更が可能である。
なお、第２の駆動レール３０と並行に第２の案内レール３１が第２の支持体２７ｂを貫通して設けられているので、第２の駆動レール３０の回転方向へ吸引体２７が同期して回転することがなく、断面逆Ｌ字形状の吸引体２７がプレフィルタ１３を介して室内フィン熱交８の室内フィン８ａの端面に接触して、薄くて強度の低い室内フィン８ａを変形したり、プレフィルタ１３を破損する事態は防止される。
なお、第２の案内レール３１の代わりに、スチーム吐出体２０の走査機構に用いた、第１の案内レール２９及び突起体２０ｃを用いて、第２の駆動レール３０の回転方向へ吸引体２７が同期して回転するのを防止するようにしてもよい。
また、この逆に第２の案内レール３１をスチーム吐出体２０の走査機構に用いてもよい。
【００３３】
第１の駆動レール２８及び第２の駆動レール３０のそれぞれの端部には伝達輪３２が取り付けられている。両伝達輪３２には、伝達ベルト３３が巻き掛けられ、第１の駆動レール２８及び第２の駆動レール３０とは同期して回転するようになっている。
従って、スチーム吐出体２０と吸引体２７とは、第２の駆動レール３０に直結された一つの走査駆動モーター２８ａで、室内フィン熱交８を挟んで常に対向して水平方向に走査駆動する。
走査駆動モーター２８ａには、減速機が内蔵してあり、スチーム吐出体２０と吸引体２７とが水平方向へ走査速度が例えば２０（ｃｍ／分）程度）の低速で走行が可能である。この走査速度は、室内フィン熱交８の水平方向の長さを６０ｃｍとすると、６分で１往復する走査速度である。
なお、連続的に走査するのではなく、走査駆動モーター２８ａの稼動を短時間でＯＮ／ＯＦＦして一定水平距離毎に断続的に走査するようにしてもよい。
【００３４】
吸引体２７には、可撓性で、スチーム、空気が流通可能な第１の吸引管３５ａの一端部が接続されている。第１の吸引管３５ａの他端部は、有底円筒形状の吸引管ロール３６の周側面を貫通している。この吸引管ロール３６の内部には弾性バネ（図示せず）が組み込まれており、この弾性バネの弾性力により、第１の吸引管３５ａは、吸引管ロール３６に巻き取られるように付勢されている。第１の吸引管３５ａの全長は、吸引体２７の水平方向への走査に伴い、吸引管ロール３６と吸引体２７との間で生じる距離の変化に追随できる長さである。
また、吸引管ロール３６の回転軸の端部には、可撓性の第２の吸引管３５ｂの先端部が接続されている。この接続部では、空気が外部から侵入しない程度に互いに密接している。第２の吸引管３５ｂの全長は吸引管ロール３６が回転した際の捻れを吸収できる長さである。
なお、第２の吸引管３５ｂは、第１の吸引管３５ａと同様に、吸引管ロール３６に巻き取られるようにしてもよい。
【００３５】
室外機６の筐体６ａ内あるいは室内機５の筐体５ａ内では、熱媒体管７の途上に、圧縮機（図示せず）、膨張機（図示せず）等が取り付けられた、所謂ヒートポンプ機構が収納されている。
また、筐体６ａ内には、プロペラ型の室外送風機１０が設けられており、室外４の空気を筐体６ａ内に取り入れ、室外フィン熱交９を通過した空気を室外４へ送出するようになっている。
室内機５と室外機６とを接続した排水管１９は、第２の吸引管３５ｂを兼用している。
排水管１９の先端部は、室外機６内で気体と液体とに分離する気水分離槽３７に接続されている。
この気水分離槽３７は、内部に、流入、吸引した凝縮水、空気が衝突する邪魔板（図示せず）が設けられている。気水分離槽３７の下部には、途上に排水弁３８が取り付けられた排水管３９が接続されており、気水分離槽３７に溜まる水及び水中に含まれた汚れは、この排水管３９を通じて室外機６の外へ排出される。気水分離槽３７の上部には、途上に吸引機４１が取り付けられた排気管４０が接続されている。
【００３６】
吸引機４１の駆動により、吸引体２７の吸引口２７ａから、スチーム、凝縮水及び室内フィン８ａ面から除去された汚れ等が気水分離槽３７まで吸引され、主に空気は排気管４０を通って室外機６外へ排出され、水分は主に気水分離槽３７内に一旦溜まる。この水は、吸引機４１の非駆動時に排水弁３８を開けることで、気水分離槽３７から排水管３９を通じて室外機６の外へ排出される。
【００３７】
吸引機４１を駆動する吸引時には、吸引口２７ａからの吸引力を確保するため、排水弁３８、排水パン排水弁１６ｂは閉じておく。
一方、吸引機４１を駆動しないときには、排水弁３８及び排水パン排水弁１６ｂを開けておき、冷房運転時に室内機５の内部で凝縮する凝縮水を常時垂れ流しで排水できるようにしておく。
なお、吸引機４１の吸引力が充分大きな場合は、排水パン排水弁１６ｂは設けず、吸引機４１による吸引時には吸引口２７ａからだけでなく排水パン排水管１６ａからも空気及び排水パン１６に向けて吐出されたスチーム、除去された汚れを常時吸引できるようにしてもよい。
【００３８】
筐体６ａ，５ａ内に収納された、上記ヒートポンプ機構では、例えば、エアコン１が冷房運転時には、膨張機で膨張後の低温となった熱媒体が熱媒体管７を通じて室内熱交熱媒体管８ｂへ供給され、室内フィン熱交８を通過する空気を冷却する。この結果、加温された熱媒体は、圧縮機で圧縮され、高温となる。この熱媒体は、熱媒体管７を通じて室外熱交熱媒体管９ｂへ供給され、室外フィン熱交９を通過する際に熱を放出して冷却され、低温となる。熱媒体は、引き続き膨張機で膨張後低温となり、再び室内熱交熱媒体管８ｂに送られる。
この一連の動作サイクルにより、室内フィン熱交８を通過する空気の熱が室外フィン熱交９を通過する空気へと移動して、室内３の空気を冷やすことができる。
【００３９】
次に、上記構成のエアコン１の洗浄動作について説明する。
なお、各図において、実線矢印はスチーム吐出体２０のスチーム吐出口２０ａから吐出するスチームの移動方向を示し、波線矢印は吸引体２７の吸引口２７ａで吸引される空気、水分の移動方向、排水方向を示している。
また、一点鎖線矢印（図４参照）は室内フィン熱交８から滴下し、また跳ね返される凝縮水の移動方向を示し、また二点鎖線矢印は空気の流れ方向を示す。
【００４０】
エアコン１が送風、暖房または冷房として運転される間は、ラインフローファン１４の駆動による送風翼１４ａの回転で、筐体５ａ内には給気開口部１２を通って空気が流入し、送出風路１８、送出口５３を通じて外部に排出される。
これらの運転後に、室内機５の内部を洗浄するに当たり、まず空気ポンプ２４を駆動させて水タンク２２からスチーム生成部２１へ水を供給する。次に、スチーム生成部２１のヒーターに通電する。同時に、室外機６の筐体６ａ内の吸引機４１を駆動する。
【００４１】
スチーム生成部２１内が充分に加熱され、スチームが所定量、スチーム吐出口２０ａから吐出することを、第１のスチーム管２１ａ、第２のスチーム管２１ｂまたはスチーム生成部２１内に配置した圧力検知器（図示せず）で検知し、またはスチーム生成部２１へのヒーターへの通電開始後の経過時間で検知した後、走査駆動モーター２８ａを駆動する。
走査駆動モーター２８ａの駆動により、第２の駆動レール３０が回転し、同時に伝達輪３２、伝達ベルト３３、伝達輪３２を介して第１の駆動レール２８も回転する。
この結果、第１の駆動レール２８に螺合したスチーム吐出体２０、及び第２の駆動レール３０に螺合した吸引体２７は、室内フィン交８を挟んで常に対向して水平方向へ移動する。
なお、スチーム吐出体２０及び吸引体２７は、その初期位置及び走査終了時の位置は、図３において室内フィン熱交８の左端もしくは右端にあり、通常のエアコン１としての運転時の邪魔になることが少なく、またスチーム吐出体２０、吸引体２７自体に埃が溜まったりすることは抑制される。
【００４２】
スチーム吐出体２０、吸引体２７は、室内フィン熱交８の一端部（初期位置）から水平方向の他端部まで移動すると、接点スイッチ（図示せず）に接触し、走査駆動モーター２８ａの回転方向が反転し、それまでとは逆方向へ移動し、一端部まで移動して接点スイッチ（図示せず）に接触して走査駆動モーター２８ａの駆動が停止する。同時に、スチーム生成部２１への通電は停止する。
なお、走査駆動モーター２８ａの反転駆動と停止とを接点スイッチではなく単に経過時間で検知してもよい。また、スチーム吐出体２０と吸引体２７との走査は、水平方向に１往復ではなく数往復するようにしてもよい。
【００４３】
スチーム生成部２１への通電を停止しても残留圧があるために、即座にはスチーム吐出口２０ａからのスチームの吐出は止まらず、また排水管１９内に水分、汚れが残留しないように一定時間吸引機４１の駆動による吸引口２７ａからの吸引は続行する。
一定時間後に、排水パン排水弁１６ｂを開けて排水パン１６に溜まった凝縮水を吸引機４１の駆動により気水分離槽３７へ移動させ、その後一定時間後に吸引機４１を停止させる。この後、排水弁３８を開けて、気水分離槽３７に溜まっている水分や汚れを排水管３９から室外機６外へ排出する。
【００４４】
スチーム吐出口２０ａから吐出するスチームは、走査速度に依って決まる一定の時間、室内フィン熱交８内の室内フィン８ａ、室内熱交熱媒体管８ｂ及び排水パン１６の外面に衝突し、付着している汚れを除去し拭き飛ばして、室内フィン熱交８内及び排水パン１６を洗浄する。
一方、スチーム吐出口２０ａの対向面では、常にスチーム吐出口２０ａから吐出するスチームより多くの量を吸引口２７ａから吸引しており、スチームやスチームによって除去された汚れに加え、スチーム吐出体２０や吸引体２７の周囲の空気も同時に吸引される。
周囲の空気が吸引口２７ａに吸引されていることで、スチーム吐出口２０ａから吐出するスチームの周囲に空気の流れが生じており、空気とスチームとは混合され易くなり、室内フィン８ａ、室内熱交熱媒体管８ｂの外面に到達する際の温度は、スチーム吐出口２０ａから吐出された直後のスチームの温度より降下している。
【００４５】
吸引口２７ａから吸引された、空気、スチーム、汚れ、凝縮水等の混合物が、気水分離槽３７まで達すると、主に液体層と気体層（１００％気液分離はできないので、特に気体層側には水滴が含まれる他、液体層中には水に溶けた汚れた固形物を含有している）に分離され、主に空気は排気管４０から室外機６外へ排出され、水は吸引機４１停止後に排水弁３８を開けて排水管３９から室外機６外へ排出される。このとき排水管３９は建物の廻りの雨水溝や下水へ接続しておくことが好ましい。
【００４６】
スチーム吐出体２０及び吸引体２７を走査しながら室内フィン熱交８に向けてスチーム吐出口２０ａからスチームを吐出して、室内フィン８ａ及び室内熱交熱媒体管８ｂの外面を洗浄した後、エアコン１としての運転を室内３を暖房する運転に切り替えて一定の時間、室内熱交熱媒体管８ｂに温度の高い熱媒体を流通させ、室内フィン熱交８内に付着して残っている残水滴を蒸発させる。
【００４７】
なお、水タンク２２に充分な水が無かった場合は、例えば空気ポンプ２４は一定時間運転してもスチーム生成部２１には充分な水が供給されず、スチーム吐出は途中で止まってしまう。
このような不都合が生じないようにするため、熱電対やサーモスタット等の温度検知器（図示せず）でスチーム生成部２１の過熱を検知して、スチーム生成部２１への通電を停止し、水タンク２２への給水を促すよう表示やブザーで使用者に通知するようになっている。
但し、スチーム吐出体２０のスチーム吐出口２０ａからのスチームの吐出は止めても、吸引体２７の吸引口２７ａからの吸引と、スチーム吐出体２０及び吸引体２７の走査だけを続行させてもよい。少なくとも空気の吸引だけによる清掃効果は期待できる。
【００４８】
このように、このエアコン１は、複数のスチーム吐出口２０ａが形成されたスチーム吐出体２０を室内機５の筐体５ａ内に設置して、空調運転終了後にスチームを室内フィン熱交８及び排水パン１６に向けて吐出する。
従って、洗浄に少ない水量で済み、室内機５外への漏水が少なく、労力が少なく、頻繁に、室内フィン熱交８及び排水パン１６を高い確実性で洗浄できる。
この結果、室内フィン熱交８内、排水パン１６の清潔性（防汚、防臭、防かび）の持続が容易となり、室内機５内を通過する空気への臭気移りや汚れ移りを抑制でき、空気への臭い移りがないことでエアコン１を長期にわたって使用することができ、廃棄時期を延長できる。
また、洗浄する際に水のみを使用し洗剤等は使用しないので環境負荷を軽減できる。
また、室内フィン８ａの表面を洗浄するので、室内フィン８ａの表面に汚れが堆積し難く、室内フィン熱交８を通過する空気との熱交換能力を維持できる。
また、室内フィン８ａの表面は、空気中に含まれる異物（例えば臭い成分）の付着面として活用でき、室内フィン熱交８に空気清浄の機能を持たせるとともに、空気を清浄する能力を持続できる。
【００４９】
また、スチーム吐出体２０には、空調運転時に室内フィン熱交８を通過する空気の流れの上流方向に向けてスチームを吐出するようにスチーム吐出口２０ａを形成したので、スチームの吐出方向が空調運転時の空気の流れとは逆行し、スチームが室内フィン熱交８内の室内フィン８ａへの汚れの付着方向とは異なり、汚れが落ち易い。
また、吸引体２７の吸引口２７ａは、室内フィン熱交８を挟んでスチーム吐出口２０ａに対向して形成し、吸引機４１の駆動により、吸引口２７ａを通じて、空気、スチーム、汚れ、凝縮水等の混合物が吸引されるので、洗浄対象である室内フィン８ａ、室内熱交熱媒体管８ｂの表面から除去した汚れが周囲へ飛散することが抑制され、洗浄対象以外への汚れの再付着や室内機５外への漏水が抑制される。
【００５０】
また、吐出するスチームより多くの量の気体を吸引口２７ａから吸引するので、スチームの周囲に空気の流れが形成され、特に室内フィン８ａへ接触する際の温度を抑制でき、室内フィン８ａ及び室内熱交熱媒体管８ｂの表面に親水や疎水のコーティング材が施されてあっても、コーティング材が高温で融けたり、変形したりまた剥がれたりする等の事態が抑制される。
また、吸引機４１は、室内機５外である室外機６内に設置されているので、室内機５を小型化、軽量化でき、また吸引時における室内３の騒音を抑制できる。また、１台の室外機６に対して複数の室内機５を有する、所謂マルチ型のエアコンであるときに、１台の吸引機４１で複数の室内機５内から空気、スチーム、汚れ、凝縮水等の混合物を吸引することを共用できる。
【００５１】
また、室内機５と室外機６とを接続する排水管１９は、吸引口２７ａから吸引機４１の駆動により吸引する第２の吸引管３５ｂを兼用したので、室内機５の筐体５ａ内、室外機６の筐体６ａ内における第２の吸引管３５ｂ用のスペースを省略でき、また側壁開口部２ａも小さくてよい。
また、排水管１９内の水滴、汚れ等が吸引時に吸引されることで、排水管１９内に水滴、汚れ等が残り難く、排水管１９内が汚れ、微生物繁殖等で閉塞することが抑制される。
また、誘導体２０ｄは、スチーム吐出体２０の反スチーム吐出方向側に設けられ、排水パン１６へ凝縮水を誘導したので、スチーム吐出口２０ａからスチームを吐出した際にスチーム吐出口２０ａ近傍で凝縮した水が周囲へ飛散し、また下方へ垂れたりすることが抑制される。
【００５２】
また、スチーム吐出体２０は、室内フィン熱交８の水平方向へ走査して、室内フィン熱交８全体が洗浄されるので、小さなスチーム吐出体２０で広範囲を洗浄でき、スチーム吐出口２０ａから吐出するスチームの、時間当たりの吐出量、即ちスチームを生成するための時間当たりのエネルギーを抑制しながら、室内フィン熱交８、排水パン１６を洗浄でき、またスチーム生成部２１が小型化される。
また、スチーム吐出体２０を固定している場合に比べ、スチーム吐出口２０ａから吐出するスチームが衝突し難い死角が低減され、より安定した洗浄斑の少ない洗浄効果を得ることができる。
【００５３】
また、水タンク２２からスチーム生成部２１に水を移動する場合、給水管２３の途上に給水ポンプを設けるのがもっとも一般的に考えられる方法である。
しかしながら、この方法では、給水管２３に空気が入り込んだ場合、給水能力が悪くなり、給水できなくなるか、給水の時間が長くなる問題があった。
これに対して、密閉した水タンク２２内に空気ポンプ２４で空気を供給して水タンク２２内の水をスチーム生成部２１へ移動したので、水タンク２２への給水時等に給水管２３に空気が入っても給水の時間が長くなったり、給水できなくなったりすることはない。
また、水タンク２２の設置位置（スチーム生成部２１との上下位置関係）に依らず、水を確実にスチーム生成部２１へ供給できる。
【００５４】
また、エアコン１は、室内フィン熱交８に向けてスチームを吐出して洗浄した後に、室内を暖房する運転とし、室内熱交熱媒体管８ｂ内に温度の高い熱媒体を流通させるようにしたので、室内フィン熱交８内は短時間に確実に乾燥され、室内フィン熱交８内での微生物の繁殖が抑制される。
【００５５】
なお、この実施の形態では、室外フィン９ａの積層方向から見た形状は、長方側を垂直に配置した矩形形状であり、室内フィン８ａの積層方向から見た形状は、前部側（図１において右側）が垂直で上部側が水平な逆Ｌ字形状であるが、それぞれこの形状に限定されるものではなく、傾斜した配置であってもよい。特に、室内フィン８ａの積層方向から見た形状をラインフローファン１４を囲うように配置した逆Ｖ字型や逆コの字型などとし、背面側の端部がラインフローファン１４寄りに近接させて背面風路壁１７がほとんど無いようにしておくと、無駄な空間が減って室内機５を小さくできる。
また、この実施の形態では、開口部に経年使用で埃等が堆積するのを避け、外観の見栄えを良くするために、開口部が無く通気性のない前面パネル１１を用いたが、前面パネル自体に通気性のあるスリット等の開口部が設けてあってもよいのは勿論である。
また、風向フラップ１５は水平に伸びた１枚のみとしているが、複数枚備えたり、板を垂直に配置した複数のフラップを別途備え、左右方向への風向を調節できるようにしたりすることも一般的にエアコンの室内機では実施されている。
また、排水パン１６には複数ヶ所で排水パン排水管１６ａを接続されていてもよい。
また、スチーム生成部２１内の水の加熱方法は、ニクロム線ではなく、スチーム生成部２１内に電磁誘導加熱可能な金属部材を備えて、スチーム生成部２１の周囲に配置した誘導コイルに通電することにより電磁誘導加熱するようにしてスチームを生成してもよい。
【００５６】
また、吸引体２７からの第１の吸引管３５ａ及びスチーム吐出体２０への第２のスチーム管２１ｂは、曲折自在な可撓性の材質で構成し、吸引体２７、スチーム吐出体２０が水平方向へ走査した時に吸引管ロール３６、スチーム管ロール３４に巻き取ることで長さを調整したが、第１の吸引管及び第２のスチーム管は、例えば掃除機の吸引管のように、それぞれ蛇腹構造で伸縮性を有するようにすることで、吸引管ロール３６、スチーム管ロール３４を削除することができ、室内機５がよりコンパクト化される。
【００５７】
また、エアコン１としての運転停止時に一定の時間スチーム吐出口２０ａからスチームを吐出して室内フィン熱交８、排水パン１６を自動で洗浄するようにしているが、エアコン１としての運転が既に停止中の任意の時間に、使用者がリモコン等の釦操作によりエアコン１の洗浄を開始指示するようにしてもよい。
また、エアコン１としての毎運転後ではなく、室内機５内を空気が通過した一定積算経過時間後のエアコン１の運転後に、上記の洗浄をするようにしてもよい。
【００５８】
また、スチーム生成部２１は、室内機５内に固定されているが、スチーム吐出体２０と一体で走査するようにしてもよい。
また、スチーム吐出体は、ヒーターを具備してスチーム生成部を兼用することで、室内機５がよりコンパクト化される。
また、水タンク２２は、室内機５外に配置したが、室内機５の内部に配置してもよい。  また、給水が必要なときにワイヤ（給水管２３や空気管２５がこのワイヤを兼用していてもよい）等で吊られた水タンク２２が室内機５内から排出されるようにしてもよい。
【００５９】
また、この実施の形態では、スチーム吐出口２０ａは、室内フィン熱交８、排水パン１６に向けて開口しているが、スチーム吐出体２０を背面風路壁１７に沿ってコの字状に延伸してスチーム吐出口２０ａを背面風路壁１７にも向けて開口して、背面風路壁１７も洗浄するようにしてもよい。より一層、室内機５内を通過する空気への臭気移り、汚れ移りが抑制される。
スチーム吐出体２０をさらにラインフローファン１７の送風翼１４ａ側に向けて延伸し、送風翼１４ａの円周方向の一部に向けてスチームを吐出するスチーム吐出口２０ａを形成し、ラインフローファン１４を回転しながら、送風翼１４ａを洗浄するようにしてもよい。送風翼１４ａに汚れが堆積し難くなり、より室内機５内を通過する空気への臭気移り、汚れ移りが抑制される他、ラインフローファン１７の送風効率が維持され、また汚れ付着による回転時のアンバランスによる騒音増加が軽減される。
【００６０】
また、室内フィン熱交８を通過する空気の下流側にスチーム吐出体２０を、上流側に吸引体２７を配置したが、スチーム吐出体２０を上流側に、吸引体２７を下流側に配置していてもよい。スチーム吐出方向が空気の通過方向と異なることにより汚れが取れ易い効果は無くなるものの、他の効果については同様な効果を奏する。
【００６１】
また、プレフィルタ１３は、吸引体２７と室内フィン熱交８との間に配置されているが、吸引体２７と前面パネル１１との間に配置し、また給気開口部１２に設けるようにしてもよい。但し、これらの場合には、スチーム吐出口２０ａから吐出するスチームがプレフィルタ１３には衝突せずスチームによる洗浄ができないので、プレフィルタ１３は別途取り外して清掃することが必要となる。
また、プレフィルタ１３を削除し、または従来の空調機に比べて粗い編み目のプレフィルタであってもよい。室内フィン熱交８は頻繁にスチームで洗浄するので、プレフィルタ１３が無い場合、または編み目が粗いプレフィルタを用いた場合でも大きな弊害は少ない。逆に、空気がプレフィルタ１３を通過する際の圧力損失が低減され、ラインフローファン１４を回転するための動力が低減される。
【００６２】
また、この実施の形態では、室内フィン熱交８が主にスチームにより洗浄されるが、同様の構成により、室外フィン熱交９が洗浄されるようにしてもよい。
室外フィン熱交９の熱交換能力を持続できる等、室内フィン熱交８を洗浄する場合と同様な効果を奏する。特に、臨海部等では室外フィン９ａが塩害で腐食することが知られているが、室外フィン熱交９を頻繁にスチームにより洗浄することで、室外フィン９ａに付着した塩分は除去され、腐食の進行が抑制される。
また、室外フィン熱交９は、室内フィン熱交８より環境的に腐食性向がある（前述の塩分だけでなく、酸性雨等の影響もある）ので、室外フィン９ａは室内フィン８ａより分厚くする必要性があるが、室外フィン熱交９を頻繁に洗浄することで腐食を抑制できるので、室外フィン９ａをより薄くすることができ、室外機６の小型化、軽量化が容易となる。  また、室外フィン熱交９はプレフィルタを備えず、汚れ等が通過するように室外フィン９ａの積層ピッチは大きくすることがあるが、室外フィン熱交９を頻繁に洗浄するので、上記積層ピッチをより狭くしてもよくなり、その点でも室外機６の小型化が容易となる。
【００６３】
また、この実施の形態では、排水管１９は、吸引機４１の駆動で吸引する第２の吸引管３５ｂを兼用したが、第２の吸引管３５ｂと排水管１９とは別々に設けてもよい。側壁開口部２ａが大きくなり、また排水管１９の詰まりを抑制する効果は無いが、他の効果は同様に得られる。
また、水タンク２２からスチーム生成部２１へ給水するようにしているが、さらに室外フィン熱交９の下部に凝縮水を受ける排水パンとその排水パンから気水分離槽３７に凝縮水を導く排水管を設けておき、気水分離槽３７からスチーム生成部２１へ給水するようにしてもよい。
室内３の冷房運転時は室内フィン熱交８から凝縮水が得られ、また室内３を暖房運転時の霜取り運転時に室外フィン熱交９に凝結した氷を溶かした際の凝縮水が得られ、スチーム源である水の確保が容易となり、洗浄対象をより頻繁に労力少なく洗浄でき、洗浄対象の清潔性の持続がより容易となる。
なお、室外フィン熱交９からの凝縮水を用いることなく、少なくとも室内フィン熱交８で生じる凝縮水をスチーム源の水として利用してもよいのは勿論である。
【００６４】
また、スチーム源の水を凝縮水や水タンク２２から給水するのではなく、水道からの配管を設けて給水するようにしてもよい。このようにすると常時確実に洗浄に必要な水を確保することができ、確実に頻繁に洗浄することができる。
また、この実施の形態では、室外機６の筐体６ａ内に気水分離槽３７や吸引機４１を設けるようにしたが、室外機６とは分離して配置するようにしてもよい。
また、吸引時の騒音等が許容されるのであれば室内機５の筐体５ａ内に気水分離槽３７や吸引機４１を配置するようにしていてもよい。ただしこの場合でも、排気管４０や排水管３９は室外４へ導かれ排気および排水できるようにしておくことが望ましい。
【００６５】
また、この実施の形態では、第１の駆動レール２８と第１の支持体２０ｂとを螺合させて第１の駆動レール２８を回転させることでスチーム吐出体２０が水平方向へ移動する構成としたが、走査機構としてこの構成に限ったものではなく、他の構成であってもよい。  例えば、スチーム吐出体２０にそれぞれ１本ないし並行して複数本のワイヤを接続しておき、このワイヤを（複数本の場合は同時に）移動方向の両端に配置した、例えば棒状のものに巻き取る（巻き取られる側の反対側では巻き戻される）ことでスチーム吐出体２０を水平方向へ移動できる。このとき、第２の案内レール３１様のものを第１の支持体２０ｂを貫通して設けたり、突起体２０ｃと第１の案内レール２９様のものを設けて、スチーム吐出体２０が水平方向へ摺動するようにして、水平方向以外への動きを拘束してスチーム吐出体２０が水平方向以外へは動かないようにしておくことが望ましい。
【００６６】
なお、吸引体２７の走査機構についても同様の構成にして、スチーム吐出体２０と吸引体２７にそれぞれ接続されたワイヤを同一の棒状のものに巻き取るようにすると、室内フィン熱交８を挟んで常に対向した位置に配置しながらスチーム吐出体２０と吸引体２７とを水平方向へ移動することが容易にできる。また、ワイヤを移動方向の両端に配置した棒状のものに巻き取るようにするのではなく、スチーム吐出体２０（または吸引体２７）の移動したい方向（水平方向）の両端に接続したワイヤを１つの輪状に形成し、かつワイヤの表面に凹凸を設けたり、摩擦の大きい材質で形成して、ワイヤの途上に接触する回転体を設けて、この回転体を回転し、また回転方向を変えることで、スチーム吐出体２０（または吸引体２７）を水平方向に左右自在に移動できるようにしてもよい。
【００６７】
また、この実施の形態では、室内フィン熱交８を挟んでスチーム吐出体２０の常に対向した位置に吸引体２７を配置しながら走査して吸引する構成としたが、走査する吸引体２７は設けずに、給気開口部１２や送出口５３などに蓋（送出口５３の場合、風向フラップ１５が兼用してもよい）を設けるなどして室内機５の筐体５ａの室内３に対する密閉性を高くして、筐体５ａ内の水平方向の左右側面側などに固定した吸引体２７の吸引口２７ａから吸引するようにしてもよい。
このようにした場合、常にスチーム吐出体２０の対向位置に配置する場合よりはスチームや汚れなどの筐体５ａ内への飛散は増えるが、筐体５ａ外へ飛散され難い効果は同様に得られる。また、巻き取るための吸引管ロール３６は不要で、かつ巻き取られるための第１の吸引管３５ａの余剰な長さは不要となる。
【００６８】
また、この実施の形態では、垂直方向に伸びたスチーム吐出体２０を第１の案内レール２９に沿って水平方向へ走査する構成で示したが、第１の案内レール２９や第２の案内レール３１のようにスチーム吐出体２０が摺動できる案内レールを垂直方向に配置して、水平方向に伸びたスチーム吐出体２０を垂直方向に走査するように構成してもよい。ただしこの場合、垂直方向への移動が曲線状に移動するのであれば、上述したようなワイヤを使って駆動するように構成した方が機構は簡単である。
また、スチーム吐出体２０をより小型に形成し、垂直方向および水平方向に２次元に走査するように構成していてもよい。例えば、水平方向へはこの実施の形態のように第１の駆動レール２８が螺合するようにして走査するとともに、垂直方向へは上記の変形形態で示したようにワイヤを使って走査駆動することと組み合わせることで容易に構成できる。  このようにした場合、走査機構は複雑になり、また一度に洗浄できる範囲が減少するので洗浄時間は長くなるが、一方でスチームが飛散したり、凝縮した水が漏水する危険性はより一層低減され、スチーム生成部２１においてスチームを生成するための単位時間当たりのエネルギー、即ちヒータ容量をより低減できる。
【００６９】
また、この実施の形態では、スチーム吐出体２０を走査する構成で示したが、走査機構を備えずに、スチーム吐出体２０を筐体５ａ内に固定した位置に配置するように構成してもよい。このようにすると第２のスチーム管２１ｂを巻き取るためのスチーム管ロール３４は不要で、かつ巻き取られるための第２のスチーム管２１ｂの余剰な長さは不要となる。このとき、なるべくスチーム吐出体２０は空気の流通を妨げない位置に固定することが望ましい。
またさらに、スチーム吐出体２０を複数分割して設け、スチーム生成部２１から分割してスチーム吐出体２０へスチームを導くスチーム管の途上に切換バルブを設けて、スチームを吐出するスチーム吐出体２０を順次切換ながらスチームを吐出するようにすると、スチーム吐出体２０を走査する場合と同様にスチーム生成部２１で生成するスチームの量を抑制することができる。
なお、この実施の形態における上記の各変形形態は、適宜下記の別の実施の形態でも適用してもよいことは勿論である。
【００７０】
実施の形態２．
図５はこの発明の実施の形態２によるエアコン１の室内機５を示す要部断面図である。
この実施の形態では、吸引体２７とスチーム吐出体２０とが室内フィン熱交８を通過する空気の上流側に一体に設けられている。
また、吸引体２７は、プレフィルタ１３と室内フィン熱交８との間の配置されている。
吸引体２７の吸引口２７ａは、スチーム吐出口２０ａを挟むようにスチーム吐出口２０ａと同じ方向に向けて開口している。室内フィン熱交８を挟んで、吸引口２７ａ及びスチーム吐出口２０ａと対向して断面が皿形状の遮蔽体４２が設けられている。
【００７１】
この遮蔽体４２は、スチーム吐出口２０ａから吐出されて、室内フィン８ａの積層間隙を通過してきたスチーム、スチームによって除去された汚れ及びスチームの凝縮水を跳ね返す。遮蔽体４２により跳ね返されたスチーム、汚れ及び凝縮水は、スチーム吐出口２０ａの両側に形成された吸引口２７ａによって吸引される。
従って、スチーム吐出口２０ａから吐出されたスチームは、室内フィン８ａの積層間隙を通過するも、この間隙に隣接した積層間隙では周囲の空気を吸い込みながらスチーム吐出方向とは逆方向へ吸引される。
また、遮蔽体４２と、スチーム吐出体２０と一体化した吸引体２７とは、実施の形態１の吸引体２７、スチーム吐出体２０と同様な機構により、室内フィン８ａの積層方向へ常に同時に走査移動されるようになっている。
また、遮蔽体４２は、実施の形態１における排水パン１６に凝縮水を誘導する誘導体２０ｄを兼ねており、凝縮水を排水パン１６へ誘導する。
その他の構成は、実施の形態１と同様である。
【００７２】
この実施の形態２のエアコン１では、実施の形態１のエアコン１と同様な効果を奏する他、遮蔽体４２を設けたので、スチーム吐出口２０ａから吐出するスチームが洗浄対象である室内フィン８ａ、室内熱交熱媒体管８ｂ以外の部位へ衝突することが抑制され、スチーム、凝縮水及び汚れが周囲へ飛散することが抑制される。
従って、洗浄対象以外への汚れの再付着、筐体５ａ外への漏水の抑制が容易となり、より節水かつ省エネで効率よく洗浄対象が洗浄される。
【００７３】
なお、この実施の形態では、室内フィン熱交８を通過する空気の上流側にスチーム吐出体２０及び吸引体２７を配置し、下流側に遮蔽体４２を配置したが、スチーム吐出体２０及び吸引体２７を空気の下流側に配置し、遮蔽体４２を上流側に配置してもよい。スチーム吐出方向が空気の流れ方向と逆になるので、スチーム、空気に乱流が生じ、汚れがより取れ易くなる。
また、室内フィン熱交８内を洗浄したが、スチーム吐出体２０と一体となった吸引体２７を、背面風路壁１７等のスチームが通過しない洗浄対象に近接しながら走査移動して背面風路壁１７等も洗浄するようにしてもよい。背面風路壁１７だけを洗浄対象とする場合、遮蔽体４２は不要で、走査駆動するための機構がより簡単である。
また、実施の形態１と同様に、プレフィルタ１３を吸引体２７と室内フィン熱交８との間に配置してもよい。
【００７４】
実施の形態３．
図６はこの発明の実施の形態３によるエアコン１の室内機５を示す要部断面図である。
この実施の形態では、スチーム吐出体２０と空気吐出体４３とが一体に設けられ、空気吐出体４３にはスチーム吐出口２０ａと同一方向に向けて空気を吐出する空気吐出口４３ａが形成されている。この空気吐出口４３ａは、スチーム吐出口２０ａを挟むようにして両側に形成されている。空気吐出体４３と吸引体２７とは室内フィン熱交８を介して対向している。
【００７５】
室内機５の筐体５ａ内には、気水分離槽３７が収納されている。吸引体２７の吸引口２７ａから吸引された空気、スチーム、汚れ及び凝縮水は、吸引機４１Ａで吸引されて、第１の吸引管３５ａを通じて気水分離槽３７に入る。気水分離槽３７では気体層と液体層とに分離されるが、主に空気からなる気体は、引き続き吸引機４１Ａで吸引されて空気吐出管４４を通じて空気吐出口４３ａから吐出される。
気水分離槽３７と吸引機４１Ａとを接続する吸引管には、空気フィルタである吸引フィルタ４５が着脱可能に取り付けられている。この吸引フィルタ４５により、気水分離槽３７から吸引される気体中に残留している固形汚れは分離される。吸引フィルタ４５は、定期的に取り外して清掃される。
スチーム吐出体２０と一体の空気吐出体４３は、実施の形態１におけるスチーム吐出体２０と同様の機構により室内フィン熱交８に沿って水平方向へ走査される。
可撓性の空気吐出管４４は、実施の形態１における、第１の吸引管３５ａ及び第２のスチーム管２１ｂと同様に、吸引管ロール３６、スチーム管ロール３４に巻き取られ、空気吐出体４３の操作時における空気吐出体４３と吸引機４１Ａとの距離の変動に対応可能になっている。
また、空気吐出管４４は、蛇腹構造で伸縮自在にすることで、空気吐出体４３と吸引機４１Ａとの距離の変動に対応するようにしてもよい。
【００７６】
気水分離槽３７の下部には、側壁開口部２ａを通って室外４へ導出される排水管１９が接続されている。この排水管１９の途上には、排水弁３８が取り付けられている。この排水弁３８は、エアコン１の洗浄時で吸引口２７ａからの吸引かつ空気吐出口４３ａからの吐出の動作時には、効率よく吸引、かつ吐出できるように、閉じている。
洗浄以外のエアコン１の運転時には、室内フィン熱交８で生じる凝縮水が排水できるように排水弁３８は開けておく。
なお、他の構成は実施の形態１と同様である。
【００７７】
この実施の形態３のエアコン１では、実施の形態１と同様な効果を奏する他、空気吐出口４３ａを有する空気吐出体４３を備えたので、スチーム吐出口２０ａから吐出するスチームと空気吐出口４３ａから吐出する空気が混じり易くなり、洗浄対象である室内フィン熱交８へ接触する際の温度が抑制され、洗浄対象への悪影響(高温で融けたり変形したりコーティングが剥がれたりする等)を防止できる。
また、スチーム吐出口２０ａの両側の空気吐出口４３ａから空気が吐出しているので、空気吐出口４３ａから吐出する空気がスチームの両側のカーテンとしての機能を有している。従って、スチーム、スチームが洗浄対象から除去した汚れが周囲へ飛散したり、あるいはスチーム吐出口２０ａの近傍で凝縮水が下方へ垂れたりすることが抑制される。
また、室内機５内に着脱可能な吸引フィルタ４５を設けたので、吸引した際の汚れを濃縮して簡単に捨てることができる。
【００７８】
なお、この実施の形態では、吸引機４１Ａは、吸引口２７ａからの空気の吸引と、空気吐出口４３ａからの空気の吐出とを兼用しているが、それぞれ別に設けていてもよい。
例えば、実施の形態１のように吸引口２７ａから空気を吸引する吸引機４１を気水分離槽３７等とともに室外機６内に設け、また空気吐出口４３ａから空気を吐出するための吸引機を室内機５内に設け、吸引機は気水分離槽３７からではなく室内３の空気を吸引して空気吐出口４３ａから吐出するようにしてもよい。このときには。吸引フィルタ４５はなくてもよい。
【００７９】
実施の形態４．
図７はこの発明の実施の形態４によるエアコン１の室内機５を示す要部断面図である。
この実施の形態では、スチーム生成部２１は、スチーム生成容器４７と、このスチーム生成容器４７の周囲を巻回したニクロム線からなるヒーター４６と、スチーム生成容器４７全体を覆った断熱材４８とを備えている。
スチーム生成容器４７では、上部から第１のスチーム管２１ａが延びてスチーム吐出体２０（図示せず）に接続されている。スチーム生成容器４７の下部（上部でも構わない）には、水タンク２２からの給水管２３が接続されており、この給水管２３を通じてスチームを生成する前にスチーム生成容器４７内に水が供給される。
【００８０】
空気ポンプ２４から空気管２５を通じて水タンク２２に空気を送ることで、水タンク２２内の空気が給水管２３から水を押し出すことで水がスチーム生成部２１へ移動する。給水管２３は、先端部が水タンク２２内の下部まで差し込まれており、水タンク２２の下部の水もスチーム生成容器４７内へ移動し易くなっている。空気管２５及び給水管２３は共に水タンク２２の蓋２２ａに固定されており、蓋２２ａを外すことで水タンク２２の上部が開口して水タンク２２内へ外部から水を補給し易くなっている。
例えば、水タンク２２を水道の蛇口まで運び給水する。蓋２２ａは、ねじ込むようにして水タンク２２を密閉できるようになっている。給水管２３の途上には逆止弁２６が取り付けられたおり、スチーム生成容器４７内の水、スチームが水タンク２２へ逆流できなくなっている。
【００８１】
また、給水管２３の途上には給水フィルタ４９が設けられ、スチーム生成容器４７内へ入る水からゴミ等を濾過する。給水フィルタ４９としてイオン交換膜を用いれば、水に溶けているイオン成分の除去も可能となる。給水フィルタ４９は給水管２３から着脱可能になっており、所定期間毎に交換可能である。
なお、給水フィルタ４９は、給水フィルタ４９で除去する成分、含有する汚れ等が多くない場合には、無交換とできる容量を確保し、給水管２３から着脱できなくしてもよい。
この他の構成は、実施の形態１と同じである。
【００８２】
この実施の形態によるエアコン１によれば、実施の形態１と同様な効果を奏する他、給水フィルタ４９を備えたので、スチーム生成部２１へ供給される水に含有する汚れ成分が減り、スチーム生成部２１内での堆積物の蓄積によるスチーム生成量の減少や第１のスチーム管２１ａやスチーム吐出口２０ａの詰まりが抑制される。
特に、実施の形態１の変形例で記載したように、室内３の冷房運転時における、室内フィン熱交８から得られる凝縮水、室内３の暖房運転時の霜取り運転時における、室外フィン熱交９に凝結した氷を溶かして得られる凝縮水を、スチーム源である水として用いる場合において、給水フィルタ４９の必要性が顕著となる。
なお、給水フィルタ４９を室内機５外に配置したが、室内機５内に配置していてもよい。
【００８３】
実施の形態５．
図８はこの発明の実施の形態５によるエアコン１の室内機５Ａ，５Ｂを示す要部拡大断面図である。
この実施の形態では、スチーム生成部２１は、第１の室内機５Ａ及び第２の室内機５Ｂ外に配置されている。スチーム生成部２１と第１の室内機５Ａとは、スチーム供給管５０で接続されている。スチーム供給管５０の端部は、第１の室内機５Ａの端部に設けたスチーム供給口５１に螺着される。スチーム供給口５１は、第１の室内機５Ａ内で第１のスチーム管２１ａを通じてスチーム吐出体２０に接続されている。
第２の室内機５Ｂも第１の室内機５Ａと同様な構成であり、スチーム供給管５０は、スチーム供給口５１で螺着され、第１の室内機５Ａから第２の室内機５Ｂへ繋ぎ換えできるようになっている。
他の構成は、実施の形態１と同様である。
【００８４】
この実施の形態のエアコン１では、第１の室内機５Ａ内のスチーム吐出口２０ａからスチームを吐出して第１の室内機５Ａ内を洗浄する際には、スチーム供給管５０を第１の室内機５Ａのスチーム供給口５１へ接続し、スチーム生成部２１のスイッチ（図示せず）を押す等してスチームの生成を開始する。充分なスチームが生成開始されれば、スチームがスチーム吐出口２０ａから吐出し、洗浄対象である室内フィン熱交８等が洗浄される。
【００８５】
実施の形態１に記載したスチーム吐出体２０の走査タイミングは、第１のスチーム管２１ａ内に配置した圧力センサ、または温度センサで洗浄開始、終了を検知して図られる。また、スチーム供給管５０及びスチーム供給口５１に通信線を併設しておきスチーム生成部２１から開始あるいは終了の電気信号からスチーム吐出体２０の走査開始や終了のタイミングを図ることもできる。
第１の室内機５Ａ内の洗浄後、第２の室内機５Ｂ内を洗浄する際には、スチーム供給管５０を第２の室内機５Ｂのスチーム供給口５１へ繋ぎ換えて、後は第１の室内機５Ａ内の洗浄と同様の手順で洗浄が行われる。
【００８６】
この実施の形態のエアコン１によれば、実施の形態１と同様な効果を奏する他、スチーム生成部２１を室内機５Ａ，５Ｂ外に配置し、スチーム供給管５０を通じてスチーム供給口５１から室内機５Ａ，５Ｂ内へスチームを供給したので、スチーム生成部２１を室内機５Ａ，５Ｂ外に配置した分、室内機５Ａ，５Ｂを小型化、軽量化できる。
また、複数の室内機５Ａ，５Ｂが１つのスチーム生成部２１を共用することが容易となる。
【００８７】
なお、この実施の形態では、それぞれの室内機５Ａ，５Ｂにはそれぞれ実施の形態１と同様な室外機６を有しているが、複数の室内機５Ａ，５Ｂが一台の室外機６を共有するようにしてもよい。
また、実施の形態１における室外機６内に配置している、吸引機４１及び気水分離槽３７を、スチーム供給管５０と同様に室外機６に着脱可能な吸引管を介して接続して室内機５外の室内３に配置し、しかも吸引機４１、気水分離槽３７をスチーム生成部２１と一体化して配置するようにしてもよい。
このようにすることで、室内機５Ａ，５Ｂだけでなく、室外機６も小型化、軽量化できる。
また、複数の室内機５Ａ，５Ｂ、室外機６は、スチーム生成部２１、吸引機４１及び気水分離槽３７を共有することができる。
【００８８】
実施の形態６．
図９はこの発明の実施の形態６によるエアコン１のラインフローファン１４を示す要部側断面図、図１０は図９のラインフローファン１４のＡ−Ａ線矢視断面図である。
この実施の形態のエアコン１では、ラインフローファン１４の送風翼１４ａの翼面に向けてスチームを吐出して送風翼１４ａを洗浄するものである。
円筒形状のラインフローファン１４は、周方向に沿って等分間隔で配置された複数の送風翼１４ａと、室内機５の筐体５ａに固定されたファンモーター１４ｂと、ファンモーター１４ｂと直結したファン回転軸１４ｃと、この回転軸１４ｃの反対側に設けられた環状の回転軸１４ｄとを備えている。
環状回転軸１４ｄの外周面を転動する３つの支持輪５２は、筐体５ａに固定された回転軸支持部５２ｂと同軸上の支持輪回転軸５２ａに回転可能に支持されている。
なお、支持輪５２と支持輪回転軸５２ａとを一体に形成し、支持輪回転軸５２ａを回転軸支持部５２ｂに対して回転可能に支持するようにしてもよい。また、支持輪５２は、環状回転軸１４ｄの内周面を転動するようにしてもよい。
【００８９】
筐体５ａのファンモーター１４ｂと反対側の壁面には、走査駆動モーター２８ａが固定されている。この走査駆動モーター２８ａには、先端部がファン回転軸１４ｃの近傍まで延びた第１の駆動レール２８の基端部が直結している。また、筐体５ａには、第１の案内レール２９の基端部が固定されている。この第１の案内レール２９は、第１の駆動レール２８と並行に先端部がファン回転軸１４ｃの近傍まで延設されている。
【００９０】
第１の駆動レール２８及び第１の案内レール２９は、スチーム吐出体２０と一体の第１の支持体２０ｂを貫通している。第１の駆動レール２８と第１の支持体２０ｂとは螺合しており、走査駆動モーター２８ａの駆動により駆動レール２８が回転すると、スチーム吐出体２０は、するようになっている。このとき、第１の案内レール２９は第１の支持体２０ｂを貫通しており、ラインフローファン１４の回転軸線に沿って摺動するので、スチーム吐出体２０がラインフローファン１４の回転方向に同期して回転することはない。
なお、第１の駆動レール２８及び第１の案内レール２９は極力細く形成され、ラインフローファン１４の送風効率を低減しないようにしておく。
スチーム吐出体２０に先端部が接続された第２のスチーム管２１ｂは、環状回転軸１４ｄの内側を通って、ラインフローファン１４の外側に導出されている。この第２のスチーム管２１ｂの必要とする全長は、スチーム吐出体２０の移動に伴い変動するが、この変動に対しては実施の形態１に記載したスチーム管ロール３４（図示せず）を用いて調整される。
【００９１】
スチーム吐出体２０には、送風翼１４ａに指向したスチーム吐出口２０ａが形成されている。スチーム吐出体２０の径方向の外側端部には、スチーム吐出口２０ａの周囲を囲い、外周縁部が送風翼１４ａの内周面に近接した遮蔽体４２ａが設けられている。この漏斗形状の遮蔽体４２ａにより、スチーム吐出口２０ａから吐出したスチームが洗浄対象である送風翼１４ａ以外に飛散するのを防止している。
【００９２】
ラインフローファン１４の外側には、スチーム吐出体２０と対向した吸引体２７が設けられている。この吸引体２７には、送風翼１４ａに指向した吸引口２７ａが形成されている。吸引体２７には第２の支持体２７ｂが固定されている。この第２の支持体２７ｂ及び吸引体２７には、第１の駆動レール２８、第１の案内レール２９と並行に延びた、第２の駆動レール３０、第２の案内レール３１が貫通している。第２の駆動レール３０と第２の支持体２７ｂとは螺合しており、第２の駆動レール３０が回転すると、吸引体２７は、第２の駆動レール３０に沿って移動するようになっている。このとき、第２の案内レール３１は、吸引体２７及び第２の支持体２７ｂを貫通しており、ラインフローファン１４の回転軸線に沿って摺動するので、吸引体２７がラインフローファン１４の回転方向に同期して回転することはない。
【００９３】
なお、実施の形態１に記載した第２の支持体２７ｂと同様に、第２の支持体２７ｂを図９に示す吸引体２７の上側、下側等に固定し、この第２の支持体２７ｂは第２の駆動レール３０、第２の案内レール３１が貫通するが、吸引体２７は貫通しないようにしてもよい。
【００９４】
第２の駆動レール３０は、その両端部（端部にはその外面にネジ構造はない）がそれぞれ第２の駆動レール支持部３０ｂ，３０ｂに回転可能に支持されている。第２の駆動レール支持部３０ｂ，３０ｂは筐体５ａの内壁に固定されている。第２の駆動レール３０のファンモーター１４ｂと反対側には、伝達輪３２が固定されている。この伝達輪３２は、第１の駆動レール２８にも固定されている。第２の駆動レール３０の伝達輪３２と第１の駆動レール２８の伝達輪３２との間は、伝達ベルト３３が巻き掛けされている。
走査駆動モーター２８ａの駆動により、駆動レール２８が回転すると、第２の駆動レール３０が同期して回転し、スチーム吐出体２０と吸引体２７とは、送風翼１４ａを挟んで互いに常に対向した状態で、ラインフローファン１４の回転軸線の方向に沿って移動する。
【００９５】
吸引体２７に先端部が接続された第１の吸引管３５ａは、筐体５ａの外部に導出されている。この第１の吸引管３５ａの必要とする全長は、吸引体２７の移動に伴い変動するが、この変動に対しては実施の形態１に記載した吸引管ロール３６（図示せず）が用いて調整される。
なお、この他の構成は実施の形態１と同様である。
【００９６】
この実施の形態によるエアコン１では、ラインフローファン１４を連続的に低速度で回転するか、あるいは断続的に回転しながら、送風翼１４ａに向けてスチーム吐出口２０ａからスチームを吐出して送風翼１４ａを洗浄する。
スチーム吐出口２０ａから吐出するスチームは、送風翼１４ａの一部しか衝突しないが、ラインフローファン１４が回転することでスチームが送風翼１４ａの全面に衝突して洗浄される。
【００９７】
この実施の形態によるエアコン１によれば、室内フィン熱交８を洗浄対象とする実施の形態１のエアコン１と異なり、洗浄対象がラインフローファン１４であり、洗浄対象が異なるものの、洗浄する上で実施の形態１と同様な効果を奏する他、送風翼１４ａの外面に汚れが堆積し難くなり、ラインフローファン１４の送風効率を維持できる。
また、特に、ラインフローファン１４が回転して送風される際の空気の流れが、図９において上から下に流れる場合には、スチーム吐出口２０ａから吐出されるスチームは、空気の流れと逆方向で送風翼１４ａの表面に衝突するので、汚れの付着方向とは逆であり、付着した汚れが落ち易くなる。
また、スチーム吐出口２０ａの近傍に遮蔽体４２を設けたので、吐出するスチームが洗浄対象以外の部位へ当たることが抑制され、スチーム、凝縮水及び汚れが周囲へ飛散することが抑制される。従って、洗浄対象以外への汚れの再付着や筐体５ａ外への漏水の抑制が容易となり、より節水かつ省エネで効率よく洗浄対象が洗浄される。
【００９８】
なお、この実施の形態では、洗浄対象が送風翼１４ａであるが、このものを、実施の形態１で示した室内フィン熱交８、排水パン１６、または実施の形態１の変形例で示した背面風路壁１７を洗浄するものと組み合わせてもよい。
このものの場合には、室内機５内を通過する空気への臭気移り、汚れ移りがより一層抑制される。
また、例えば、実施の形態６の第１の駆動レール２８に、伝達輪、伝達ベルトを用いて実施の形態１の第２の駆動レール３０と連結することで、一つの走査駆動モーター２８ａの駆動により、送風翼１４ａ、室内フィン熱交８、排水パン１６及び背面風路壁１７等を同時に洗浄することができる。
【００９９】
また、ラインフローファン１４の内周側に吸引体２７を配置し、外周側にスチーム吐出体２０を配置するようにしてもよい。
さらに、実施の形態１の変形例で記載したものと同様に、吸引体２７とスチーム吐出体２０を一体とし、このものをラインフローファン１４の内周側または外周側に配置し、送風翼１４ａを挟んだ対向側に遮蔽体４２を設けるようにしてもよい。この場合、スチーム吐出口２０ａから吐出したスチームは、遮蔽体４２によって反射され、この反射されたスチームは、スチーム吐出口２０ａ側の吸引口２７ａから吸引される。
また、スチームを吐出して送風翼１４ａを洗浄するとき以外には、スチーム吐出体２０が第１の支持体２０ｂに対して、ラインフローファン１４の回転軸方向へ倒れるように構成していても良い。スチーム吐出体２０がラインフローファン１４の内部にあることによるラインフローファン１４の送風効率の悪化を倒すことで抑制できる。
【０１００】
実施の形態７．
図１１はこの発明の実施の形態７によるエアコン１の室内機５を示す平断面図、図１２は図１１のＢ−Ｂ線に沿った矢視断面図である。
この実施の形態のエアコン１は、天井に取り付けられており、室内機５内の室内フィン熱交８に向けてスチームを吐出して室内フィン熱交８を洗浄するものである。
この円環状の室内フィン熱交８は、側面から視て板状の室内フィン８ａを水平面に投影して放射状に積層されている。室内フィン８ａには、室内熱交熱媒体管８ｂが積層方向に貫通している。円環状の室内熱交熱媒体管８ｂの両端部には、それぞれ熱媒体管７が接続されている。この熱媒体管７はそれぞれ室内機５から導出され、室外機６と接続されている。
なお、この実施の形態のエアコン１では、熱媒体管７、室内熱交熱媒体管８ｂに流れる熱媒体は温冷水であり、室内冷房時には冷水、室内暖房時には温水が流れる。この熱媒体は、室外機６におけるヒートポンプ機構、及び外部空気との熱交換器（クーリングタワーを含む）による熱交換によって温水あるいは冷水が生成される。
【０１０１】
室内フィン熱交８の下部の筐体５ａには、正方形状の給気開口部１２が形成されている。この給気開口部１２の全体は、筐体５ａに対して着脱可能なプレフィルタ１３で覆われている。給気開口部１２には、スリット状に多数開口した下方パネル１１ａが着脱可能に取り付けられている。プレフィルタ１３及び下方パネル１１ａは、取り外すことで清掃される。
また、筐体５ａには、給気開口部１２の４辺の外側にそれぞれ空気を送出する送出口５３が形成されている。
なお、下方パネル１１ａは、筐体５ａに対して開閉可能でもよく、また実施の形態１に記載した前面パネル１１のように通気性のないものとし、室内機５の筐体５ａとの間に隙間を開けて配置して、その隙間を給気開口部１２としてもよい。
【０１０２】
室内フィン熱交８の円環状の中央下部には、プロペラ型の送風翼５４ａ及びファンモーター５４ｂを有する送風ファン５４が設けられている。この送風ファン５４は、給気開口部１２から室内機５外部の空気を吸引し、室内フィン熱交８を通過させて、送出口５３から室内３へ空気を送出するようになっている。
実施の形態１のエアコン１と同様に、それぞれの送出口５３には、所望の角度で室内３へと送出を可能にする風向フラップ１５が設けられている。それぞれの風向フラップ１５はフラップモーター１５ａの駆動により角度が変更される。
なお、風向フラップ１５毎にフラップモーター１５ａを設けるのではなく、４つの風向フラップ１５をワイヤやギア等の機構で連動し、１つのフラップモーター１５ａで４つの風向フラップ１５の角度を同時に変更するようにしてもよい。
【０１０３】
円環状の室内フィン熱交８の内側では、内周面に沿って軸線方向に延びた、スチーム吐出口２０ａを有するスチーム吐出体２０が設けられている。また、室内フィン熱交８の外側では、外周面に沿って軸線方向に延びた、吸引口２７ａを有する吸引体２７が設けられている。この吸引体２７は、室内フィン熱交８を挟んでスチーム吐出体２０と対向している。
【０１０４】
スチーム吐出体２０は、室内フィン熱交８の円環の中心から径方向に延びた第１の支持体２０ｂの先端部に設けられて支持されている。第１の支持体２０ｂは、中空構造であり、この第１の支持体２０ｂの内部には、スチーム吐出体２０とスチーム生成部２１とを繋ぐ第２のスチーム管２１ｂの先端部が室内フィン熱交８の円環の中心側から入って挿入されている。
同様に、吸引体２７は、室内フィン熱交８の円環の中心から径方向に延びた第２の支持体２７ｂの先端部に設けられて支持されている。同様に、第２の支持体２７ｂは中空構造であり、この第２の支持体２７ｂの内部には、吸引体２７と吸引機４１とを繋ぐ第１の吸引管３５ａの先端部が室内フィン熱交８の円環の中心側から入って挿入されている。
なお、第２のスチーム管２１ｂ、第１の吸引管３５ａの先端部を支持体２０ｂ及び支持体２７ｂを兼用させるようにしてもよい。
【０１０５】
第１の支持体２０ｂ及び第２の支持体２７ｂは、室内フィン熱交８の円環の中央部に設けられた円筒体５５に連結されている。円筒体５５には、送風ファン５４と同軸線上に配置された走査駆動モーター２８ａが連結されている。この走査駆動モーター２８ａの駆動により、円筒体５５の中心軸線を中心に、スチーム吐出体２０と吸引体２７とが常に室内フィン熱交８を狭持して対向しながら水平方向へ回転する。
なお、この水平方向の回転は同一方向への連続回転ではなく、円周に沿った少なくとも１周分程度の範囲での往復回転でよい。少ない回転であるので、第２のスチーム管２１ｂ及び第１の吸引管３５ａが過剰に捻れることがなく、また実施の形態１の第２のスチーム管２１ｂ、第１の吸引管３５ａに必要となる余剰な長さを抑制でき、スチーム管ロール３４、吸引管ロール３６は必要としない。
なお、この他の構成は、実施の形態１と同様である。
【０１０６】
この実施の形態７によるエアコン１によれば、実施の形態１と同様の作用、効果を得ることができるとともに、スチーム吐出体２０、吸引体２７を室内フィン熱交８に沿って走査するための、伝達ベルト３３等の走査機構は不要であり、実施の形態１のエアコン１と比較して構造が簡単化される。
【０１０７】
なお、スチーム吐出体２０を室内フィン熱交８の外周側面に沿って配置し、吸引体２７を室内フィン熱交８の内周側面に沿って配置するようにしてもよい。
この場合には、実施の形態１と同様にスチーム吐出口２０ａから吐出するスチームを室内フィン熱交８を通過する空気の上流に向けて吐出することになり、実施の形態１と同様にスチームの吐出方向が空調運転時の空気の流れとは逆行し、室内フィン熱交８内の室内フィン８ａへの汚れの付着方向とは異なり、汚れがより落ち易くなる。
【０１０８】
また、室内フィン熱交８は、円環状ではなく、例えば４つの直方体状の室内フィン熱交部を正方の各辺にそれぞれ配置したものでもよい。
但し、このエアコン１のときには、スチーム吐出体２０、吸引体２７は、室内フィン熱交部の側面に沿って移動し、移動に伴い角環状の中心軸線からスチーム吐出体２０、吸引体２７までの距離が変わることになる。
従って、このエアコン１の場合には、例えば、第１の支持体２０ｂ及び第２の支持体２７ｂは、伸縮構造、または材質とし、また第２のスチーム管２１ｂと第１の吸引管３５ａはそれぞれ第１の支持体２０ｂと第２の支持体２７ｂの伸長に対応できるように長さに余裕を持たせておき、さらには上記室内フィン熱交部のそれぞれの配置に沿って駆動レール２８，３０を備え、第１の支持体２０ｂ及び第２の支持体２７ｂが、案内レール２９，３１に拘束されながら伸縮して移動できるようにしてもよい。
【０１０９】
実施の形態８．
図１３はこの発明の実施の形態８によるエアコン１のスチーム吐出体２０を示す要部断面図、図１４は図１３のスチーム吐出体２０を示す要部平面図である。
この実施の形態では、先端部に鍔２０ｅが形成された、スチーム吐出体２０のスチーム吐出口２０ａに、回転スチーム吐出体５６が回転自在に設けられている。この回転スチーム吐出体５６には、回転スチーム吐出体５６の回転軸線５６ｂに対して偏心した位置に回転軸線５６ｂに対して傾斜した角度で回転スチーム吐出口５６ａが形成されている。
この回転スチーム吐出口５６ａは、スチームにより洗浄される洗浄対象（例えば、室内フィン８ａ、送風翼１４ａ等）の被吐出面５７に指向している。
この他の構成は、実施の形態１と同様である。
【０１１０】
この実施の形態では、回転スチーム吐出口５６ａから吐出するスチームの反力で回転スチーム吐出体５６が回転軸線５６ｂを中心に回転方向５６ｃへ回転する。
従って、回転スチーム吐出体５６が回転していない時の吐出範囲５７ａより広範囲な吐出範囲５７ｂにスチームが衝突するので、スチーム吐出口２０ａの数を減らすことができる。
また、回転スチーム吐出口５６ａから吐出するスチームが異なる角度で被吐出面５７に衝突するので、被吐出面５７に対する洗浄効果が向上する。
また、空気に接触し混合する機会が増え、被洗浄対象に衝突するスチームの温度が低下し、被洗浄対象が高温で融けたり変形し、または表面のコーティングが剥がれたりする等を防止できる。
【０１１１】
なお、鍔２０ｅと回転スチーム吐出体５６との接触部分にベアリング等を設け、回転スチーム吐出体５６をより円滑に回転ができるようにしてもよい。
また、回転スチーム吐出体５６から、先端部に変形可能の鍔が形成された円筒部を突出させ、この円筒部をスチーム吐出体２０のスチーム吐出口２０ａに挿入するようにしてもよい。
また、図６に示した実施の形態３の空気吐出体４３の空気吐出口４３ａに、空気吐出口４３ａから吐出する空気の反力で回転空気吐出体を回転可能に設け、空気吐出口４３ａから吐出する空気の反力で、回転空気吐出体を回転するようにしてもよい。
【０１１２】
なお、各実施の形態に示したエアコン１は、家庭用やビル等の建物用だけでなく、自動車や電車等の車両用に適用できることは勿論である。
また、各実施の形態では、室内機５内の室内フィン熱交８等の洗浄対象をスチームで洗浄するものであったが、空気清浄機（タバコの吸煙機等も含む）、エアコンの室外機６、冷蔵庫（庫内冷風循環する熱交、ファン等）、オイルヒーター、温水ヒーター、換気扇（熱交換型、給排気型を含む）、温風ヒーター等、筐体内部を空気が流通するものであれば、同様に適用することができることは勿論である。
空気が流通することで筐体内部に付着する汚れや臭いを洗浄できることになり、筐体内の清潔性（防汚、防臭、防かび）の持続が容易となり、筐体内を通過する空気への臭気移りや汚れ移りを抑制できる。
特に、空調機が、板状のフィンが所定間隔で多数積層され、前記フィン間の積層間隙を空気が通過可能なフィン積層体を前記筐体内に備えて、フィンの外面を空気中に含まれる異物の付着面として活用し、また各実施の形態のスチーム吐出口２０ａを設置して、空気清浄のみを目的としたものである場合でも、フィンの外面を洗浄することでフィンの付着能力を再生でき、空気を清浄する能力を持続可能な空気清浄機とすることができる。
【０１１３】
なお、各実施の形態あるいは特許請求の範囲に示したスチーム管、排水管、排気管、吸引管など、管と記載しているが、その断面は円形に限定されるものではなく、楕円や四角などどのような形状でもよいことは勿論である。
また、各実施の形態において、長時間スチームを吐出することでスチーム中に含まれる不純物成分（シリカ等）が結晶化して付着して成長し、スチーム吐出口２０ａが閉塞することもあるので、スチーム吐出体２０は、第１の支持体２０ｂや第２のスチーム管２１ｂに対して容易に着脱可能に構成しておくことが望ましい。このようにすると、スチーム吐出体２０の交換や清掃が容易となる。
【０１１４】
また、上記各実施の形態は、スチーム吐出口から吐出するスチームは、空調機の筐体内の各所を洗浄するために用いたが、適宜空調機の運転中にスチームをスチーム吐出口から吐出して、吸引体を備える場合でも洗浄時とは異なり吸引しないようにして、空気を加湿するためだけに用いる加湿機能と兼用できるようにしていてもよいことは勿論である。
【符号の説明】
【０１１５】
１  エアコン（空調機）、２  側壁、２ａ  側壁開口部、３  室内、４  室外、５  室内機、５ａ  筐体、５Ａ  第１の室内機、５Ｂ  第２の室内機、６  室外機、６ａ  筐体、７  熱媒体管、８  室内フィン熱交、８ａ  室内フィン、８ｂ  室内熱交熱媒体管、９  室外フィン熱交、９ａ  室外フィン、９ｂ  室外熱交熱媒体管、１０  室外送風機、１１  前面パネル、１１ａ  下方パネル、１２  給気開口部、１３  プレフィルタ、１４  ラインフローファン（送風機）、１４ａ  送風翼、１４ｂ  ファンモーター、１４ｃ  ファン回転軸、１４ｄ  環状回転軸、１５  風向フラップ、１５ａ  フラップモーター、１６Ａ，１６Ｂ  排水パン（排水部）、１６ａ  排水パン排水管、１６ｂ  排水パン排水弁、１７  背面風路壁、１８  送出風路、１９  排水管、２０  スチーム吐出体、２０ａ  スチーム吐出口、２０ｂ  第１の支持体、２０ｃ  突起体、２０ｄ  誘導板、２１  スチーム生成部、２１ａ  第１のスチーム管、２１ｂ  第２のスチーム管、２２  水タンク、２２ａ  蓋、２３  給水管、２４  空気ポンプ、２５  空気管、２６  逆止弁、２７  吸引体、２７ａ  吸引口、２７ｂ  第２の支持体、２８  第１の駆動レール、２８ａ  走査駆動モーター、２８ｂ  第１の駆動レール支持部、２９  第１の案内レール、３０  第２の駆動レール、３０ａ  走査駆動モーター、３０ｂ  第２の駆動レール支持部、３１  第２の案内レール、３２  伝達輪、３３  伝達ベルト、３４  スチーム管ロール、３５  吸引管、３５ａ  第１の吸引管、３５ｂ  第２の吸引管、３６  吸引管ロール、３７  気水分離槽、３８  排水弁、３９  排水管、４０  排気管、４１  吸引機、４１Ａ  吸引機、４２  遮蔽体、４２ａ  遮蔽体、４３  空気吐出体、４３ａ  空気吐出口、４４  空気吐出管、４５  吸引フィルタ、４６  ヒーター、４７  スチーム生成容器、４８  断熱材、４９  給水フィルタ、５０  スチーム供給管、５１  スチーム供給口、５２  支持輪、５２ａ  支持輪回転軸、５２ｂ  回転軸支持部、５３  送出口、５４  送風ファン、５４ａ  送風翼、５４ｂ  ファンモーター、５５  円筒体、５６  回転スチーム吐出体、５６ａ  回転スチーム吐出口、５６ｂ  回転軸線、５６ｃ  回転方向、５７  被吐出面、５７ａ  吐出範囲、５７ｂ  吐出範囲。
【図１】
0005566483.tif 000002
【図２】
0005566483.tif 000003
【図３】
0005566483.tif 000004
【図４】
0005566483.tif 000005
【図５】
0005566483.tif 000006
【図６】
0005566483.tif 000007
【図７】
0005566483.tif 000008
【図８】
0005566483.tif 000009
【図９】
0005566483.tif 000010
【図１０】
0005566483.tif 000011
【図１１】
0005566483.tif 000012
【図１２】
0005566483.tif 000013
【図１３】
0005566483.tif 000014
【図１４】
0005566483.tif 000015